(57)【特許請求の範囲】
【請求項１】
電気機器の機器ケースに設けられた電池などの収納部を覆う蓋体単体が有するロック機構であって、
前記蓋体は少なくとも
Ｌ字形状の開口部であるガイド部を有する、機器ケースに開閉可能に取り付けられた開閉蓋と、
前記開閉蓋の閉状態を維持させるためのロックプレートと、
前記開閉蓋を挟んで前記ロックプレートと固定されたロックツマミと、
を一体に組み込んで構成され、
前記蓋体を開く場合には、
前記開閉蓋に形成された前記Ｌ字形状のガイド部に沿って、ロックツマミを前記ロックプレートがロック方向と直交する方向、および前記ロックプレートがロック解除する方向にスライドさせることで前記蓋体を開く構成としたことを特徴とする開閉蓋ロック機構。
【請求項２】
前記蓋体は、前記ロックツマミを前記ロックプレートがロック方向に付勢するトーションバネを有し、
前記蓋体を閉じる場合には、
前記ロックプレートの先端部が前記機器ケースの壁に当たり、前記トーションバネの付勢する方向とは逆に押し戻され、
さらに前記ロックプレートの先端部が前記機器ケースの壁を過ぎると前記トーションバネの付勢する方向に戻され前記機器ケースの壁に引っかかり、前記開閉蓋が前記機器ケースにロックされることを特徴とする請求項１記載の開閉蓋ロック機構。
【請求項３】
前記開閉蓋と前記ロックプレートの間に防水パッキンおよび防水パッキン押え板、前記開閉蓋と前記ロックツマミの間に防水シートを設けたことを特徴とする請求項１記載の開閉蓋ロック機構。
【発明の詳細な説明】
【０００１】
【発明の属する技術分野】
本発明は、電気機器の機器ケースに設けられた電池などの収納部を覆う開閉蓋のロック機構に関する。
【０００２】
【従来の技術】
従来、電気機器の機器ケースに設けられた電池などの収納部を覆う開閉蓋のロック機構は、開閉蓋を閉じれば機器ケースによりロックプレートがいったん押されて移動してから元の位置に戻ることにより、使用者はロックツマミを上下させなくても自動的に開閉蓋が閉まり、ロックがかかるようになっていた。
【０００３】
以下、そのような従来の開閉蓋のロック機構について、図を用いて説明する。
【０００４】
図４は従来の開閉蓋ロック機構の側面から見た断面図である。開閉蓋１１の矩形状の開口部１１ａにロックツマミ１２を挿入し、開閉蓋１１の内側に押さえ板１３を取り付け、この押さえ板１３の上をスライドできるロックプレート１４をネジ１５にてロックツマミ１２に固定する。ロックプレート１４とロックツマミ１２はトーションバネ（図示せず）により矢印Ａ方向へ付勢されている。１７は開閉蓋１１が取り付けられる電気機器の機器ケースである。
【０００５】
以上のように構成された従来の開閉蓋のロック機構において、開閉蓋１１を閉じたとき、ロックプレート１４の先端部１４ａが機器ケース１７の壁１７ａに当たり、一旦矢印Ｂ方向に押され、その後壁１７ａを過ぎてから矢印Ａ方向に戻り、先端部１４ａが壁１７ａに引っかかる。これにより、開閉蓋１１が機器ケース１７にロック固定される。
【０００６】
開閉蓋１１を開く場合は、ロックツマミ１２を矢印Ｂ方向に押し、ロックプレート１４の先端部１４ａが機器ケース１７の壁１７ａから外れるようにスライドさせて、開閉蓋１１を開ける。
【０００７】
【発明が解決しようとする課題】
上記従来の構成では、バネの力でロックプレート１４の先端部１４ａを機器ケース１７の壁１７ａに引っかかるように付勢しているので、電気機器を落下させたりしたときの衝撃でバネの付勢力が衝撃力に負け、ロックプレート１４が矢印Ｂ方向に移動し、その先端部１４ａが機器ケース１７の壁１７ａから外れ、開閉蓋１１が開いてしまう。開閉蓋が電池蓋の場合であれば、収納部の中の電池が飛び出すなどのトラブルが起こるという課題があった。
【０００８】
これを防止する方法として、ロック機構を２重にしたものもあるが、部品点数が多く、構造も複雑になっている。
【０００９】
本発明は、きわめてシンプルな部品構成で、かつ操作も簡単で落下衝撃に耐えられる開閉蓋のロック機構を提供することを目的とする。
【００１０】
【課題を解決するための手段】
この課題を解決するために本発明は、ロックツマミが移動できる範囲をアルファベットのＬ字型にして、開閉蓋を閉じた後、ロックツマミを開閉時に移動する向きと直交する向きにスライドさせるように構成したものである。
【００１１】
これにより、開閉蓋の開閉方向の落下衝撃では、ロックツマミの移動が制限され開閉方向へは移動できず、ロックプレートも移動しない。また、開閉方向と直交する方向の落下衝撃では、ロックツマミはその方向へ移動するが、この方向では機器ケースに対してロックプレートが引っかかったままで、開閉方向には移動しない。従っていずれの方向への落下衝撃でも開閉蓋が開くことはない。
【００１２】
このように、開閉蓋を閉じて、ロックプレートが機器ケースに引っかかったあと、ロックツマミそのものを開閉方向と直交方向にスライドさせることで、複数のツマミを使うことなくシンプルな構成でしかも操作も簡単なロック機構を提供することができる。
【００１３】
【発明の実施の形態】
本発明の請求項１に記載の発明は、
電気機器の機器ケースに設けられた電池などの収納部を覆う蓋体単体が有するロック機構であって、
前記蓋体は少なくとも
Ｌ字形状の開口部であるガイド部を有する、機器ケースに開閉可能に取り付けられた開閉蓋と、
前記開閉蓋の閉状態を維持させるためのロックプレートと、
前記開閉蓋を挟んで前記ロックプレートと固定されたロックツマミと、
を一体に組み込んで構成され、
前記蓋体を開く場合には、
前記開閉蓋に形成された前記Ｌ字形状のガイド部に沿って、ロックツマミを前記ロックプレートがロック方向と直交する方向、および前記ロックプレートがロック解除する方向にスライドさせることで前記蓋体を開く構成としたことを特徴とする開閉蓋ロック機構であり、複数のツマミを使うことなくシンプルな部品構成で、しかもロックツマミをロック方向と直交する方向にスライドするだけという簡単な操作を行うことで、電気機器を落下させた時の衝撃で開閉蓋が開いてしまうのを防止するという作用を有する。
【００１４】
請求項２に記載の発明は、
前記開閉蓋または前記開閉蓋に取り付けられる部品にＬ字形状のガイド部を設け、
前記Ｌ字形状のガイド部に沿ってロックツマミを前記ロックプレートがロック方向と直交する方向、および前記ロックプレートがロックまたはロック解除する方向スライドさせることで前記蓋体を開閉可能にしたことを特徴とする請求項１記載の開閉蓋ロック機構であり、移動方向の制限をガイド部形状のみのシンプルな構成で行うことができるという作用を有する。
【００１５】
請求項３に記載の発明は、
前記開閉蓋と前記ロックプレートの間に防水パッキンおよび防水パッキン押え板、前記開閉蓋と前記ロックツマミの間に防水シートを設けたことを特徴とする請求項１記載の開閉蓋ロック機構であり、落下衝撃だけでなく、防水効果も向上するという作用を有する。
【００１６】
以下、本発明の実施の形態について、図１から図３を用いて説明する。
【００１７】
（実施の形態１）
図１は本発明の一実施の形態の開閉蓋ロック機構の側面から見た断面図で、図２は分解斜視図、図３はロックツマミの動作説明図である。図において、開閉蓋１の内側には、ロックツマミ２を矢印Ａ方向へ付勢するためのトーションバネ３が組み込まれ、さらに防水ゴムパッキン４を置いた後、ゴムパッキン押え板５で防水ゴムパッキン４とトーションバネ３を押さえてネジ６で固定されている。開閉蓋１にはＬ字形状の開口部１ａが設けられており、開口部１ａにロックツマミ２のボス部２ａを防水シート７および開閉蓋１を挟んで挿入しロックプレート８をネジ９で固定する。開口部１ａのＬ字形状の幅は、ロックツマミ２のボス部２ａがスライド可能な最小の寸法に設定されており、ロックツマミ２とロックプレート８は一体としてＬ字形状の開口部１ａに沿ってスライドできる。１０は開閉蓋１が取り付けられる電気機器の機器ケースである。
【００１８】
以上のように構成された本実施の形態の開閉蓋のロック機構において、開閉蓋１を閉じたとき、ロックプレート８の先端部８ａが機器ケース１０の壁１０ａに当たり、一旦矢印Ｂ方向に押され、その後壁１０ａを過ぎてから矢印Ａ方向に戻り、先端部８ａが壁１０ａに引っかかる。これにより、開閉蓋１が機器ケース１０にロック固定される（図３（ａ））。そしてさらに、ロックツマミ２を矢印Ｃ方向に動かす（図３（ｂ））。
【００１９】
開閉蓋１を開く場合は、ロックツマミ２を矢印Ｄ方向に押し、さらに矢印Ｂ方向にスライドさせる（図３（ｃ））ことにより、ロックプレート８の先端部８ａが機器ケース１０の壁１０ａから外れ、開閉蓋１を開けることができる。
【００２０】
電気機器を落下させたりしたとき、その衝撃でトーションバネ３の付勢力が衝撃力に負けても、ロックツマミ２のボス部２ａが開閉蓋１のＬ字形状の開口部１ａの壁に当接するため、矢印Ｂ方向には動くことができない。従って、ロックプレート８も移動せず、その先端部８ａが機器ケース１０の壁１０ａから外れることがないため開閉蓋１が開く恐れはない。
【００２１】
また、開閉蓋１には防水ゴムパッキン４および防水シート７が組み込まれているため、落下衝撃だけでなく、防水効果も向上するため、郊外などで使用される電気機器に適した開閉蓋のロック機構となっている。
【００２２】
なお、本実施の形態ではロックツマミがガイドされるＬ字形状を開口部としたが、凸部、あるいは凹部によるガイドであってもよい。
【００２３】
また、ロックツマミがガイドされるＬ字形状は両方どちらにも移動できるＴ字形状としてもよい。
【００２４】
【発明の効果】
以上のように本発明によれば、同一ロックツマミをロック方向と直交する方向にスライドさせる事で、複数のツマミを使うことなくシンプルな部品構成で、しかも横方向にスライドするだけという簡単な操作を行うことで、電気機器を落下させた時の衝撃で開閉蓋が開いてしまうのを防止するという有利な効果が得られる。
【図面の簡単な説明】
【図１】本発明の一実施の形態による開閉蓋ロック機構の側面から見た断面図
【図２】本発明の一実施の形態による開閉蓋ロック機構の分解斜視図
【図３】本発明の一実施の形態による開閉蓋ロック機構のロックツマミの動作説明図
【図４】従来の開閉蓋ロック機構の側面から見た断面図
【符号の説明】
１  開閉蓋
１ａ  開口部
２  ロックツマミ
２ａ  ボス部
３  トーションバネ
４  防水ゴムパッキン
５  ゴムパッキン押え板
７  防水シート
８  ロックプレート
８ａ  先端部
１０  機器ケース
【図１】
0003899882.tif 000002
【図２】
0003899882.tif 000003
【図３】
0003899882.tif 000004
【図４】
0003899882.tif 000005